【事件の表示】
　特許第３０６４２０８号「インクジェット記録用紙」の請求項１ないし４に係る特許に対する特許異議の申立てについて、次のとおり決定する。
【結　論】
　訂正を認める。
　特許第３０６４２０８号の請求項１ないし２に係る特許を維持する。
【理　由】
Ｉ．手続の経緯
　本件特許第３０６４２０８号に係る発明は、平成７年４月１９日に出願され、平成１２年５月１２日にその発明の特許の設定登録がなされた。
　本件特許公報は、平成１２年７月１２日に発行され、その特許に対して、特許異議申立人田井靖人より特許異議の申立があり、取消理由通知（平成１３年４月５日付、第１回）がなされ、訂正請求（平成１３年６月１８日付、後日取下）がなさ、特許異議申立人より上申書が提出され、次いで、取消理由通知（平成１４年４月２３日付、第２回）がなされ、その指定期間内である平成１４年５月２１日付けで訂正請求がなされたものである。
II．訂正の適否についての判断
１．訂正の内容
　平成１４年５月２１日付訂正請求における訂正の内容は、以下のとおりである。
ａ．特許請求の範囲【請求項１】「…合成シリカ及び水系結着剤を主成分とする記録層を、…」を「…シリコーン系撥水剤及び／又はサイズ剤を含有し合成シリカ及び水系結着剤を主成分とする記録層であって、前記合成シリカの含有量が３０〜７０重量％である記録層を、…」と訂正し、【請求項２】、【請求項３】を削除すると共に、
【請求項４】「填料が珪酸塩系である、請求項１〜３の何れかに記載されたインクジェット記録用紙。」を繰り上げて、
【請求項２】「填料が珪酸塩系である、請求項１に記載されたインクジェット記録用紙。」と訂正する。
ｂ．明細書の第１１段落「…合成シリカ及び水系結着剤を主成分とする記録層を、…」を「…シリコーン系撥水剤及び／又はサイズ剤を含有し合成シリカ及び水系結着剤を主成分とする記録層であって、前記合成シリカの含有量が３０〜７０重量％である記録層を、…」と訂正する。
ｃ．明細書の第１６段落「…このような合成シリカの使用量は、記録層中の３０〜７０重量％となる量であることが好ましい。」を「…このような合成シリカの使用量は、記録層中の３０〜７０重量％となる量である。」と訂正する。
ｄ．明細書の第４２段落の「比較例１」全体を削除すると共に、
第４３段落の「比較例２」を「比較例１」と訂正、第４４段落の「比較例３」を「比較例２」と訂正、第４５段落の「比較例４」を「比較例３」と訂正、第４６段落の「比較例５」を「比較例４」と訂正、第４７段落の「比較例６」を「比較例５」と訂正する。
ｅ．明細書の第４８段落で、実施例１〜４、比較例１〜６の試験及び評価の結果を示す【表１】において、比較例１の試験及び評価結果の記載欄すべて（横一列）を削除すると共に、該表左端の実験名記載欄の「比較例２」を「比較例１」と訂正、「比較例３」を「比較例２」と訂正、「比較例４」を「比較例３」と訂正、「比較例５」を「比較例４」と訂正、「比較例６」を「比較例５」と訂正する。
２．訂正の目的の適否、新規事項の有無及び拡張・変更の存否
  上記訂正ａは、特許明細書の特許請求の範囲の請求項１の「インクジェット記録用紙」の「記録層」について、訂正前の請求項２〜３で示された配合成分「シリコーン系撥水剤」、「サイズ剤」の含有を規定し、「合成シリカ」の含有割合を数値規定するとともに、請求項２〜３を削除、請求項４を請求項２に繰り上げるものであり、特許請求の範囲をより狭く限定するものであるから、特許法第１２０条の４第２項但し書き第１号に規定する特許請求の範囲の減縮を目的とする訂正に該当するものであって、願書に添付した明細書の範囲内の訂正であって、実質上特許請求の範囲を拡張し又は変更するものではない。
  上記訂正ｂ〜ｃは、上記訂正ａによる特許請求の範囲の減縮の訂正に伴い、特許請求の範囲と発明の詳細な説明欄の記載との不整合を正すものであるから、特許法第１２０条の４第２項但し書き第３号に規定する明瞭でない記載の釈明に該当するものであり、願書に添付した明細書の範囲内の訂正であって、実質上特許請求の範囲を拡張し又は変更するものではない。
  上記訂正ｄ〜ｅは、配合量記載ミスで実施例欄の「実施例」等の開示内容と不整合である「比較例１」を削除して、実施例欄の開示内容を明瞭にするものであるから、特許法第１２０条の４第２項但し書き第３号に規定する明瞭でない記載の釈明に該当するものであり、願書に添付した明細書の範囲内の訂正であって、実質上特許請求の範囲を拡張し又は変更するものではない。
３．むすび
　以上のとおりであるから、上記訂正請求は、特許法第１２０条の４第２項及び同条第３項で準用する第１２６条第２〜３項の規定に適合するので、当該訂正を認める。
III．特許異議の申立てについて
１．本件発明
　平成１４年５月２１日付訂正明細書の請求項１〜２に係る発明は、その特許請求の範囲の請求項１〜２に記載される以下のとおりのものである。
「【請求項１】表面張力が３０〜４５ダイン／ｃｍの水系インク滴を付着させて記録を行うインクジェット記録用紙において、該記録用紙が、少なくとも填料および内添サイズ剤を含む基紙の少なくとも片方の面に、シリコーン系撥水剤及び／又はサイズ剤を含有し合成シリカ及び水系結着剤を主成分とする記録層であって、前記合成シリカの含有量が３０〜７０重量部である記録層を、片面あたり固形分で０．５〜４．０ｇ／ｍ２設けてなると共に、前記記録層の表面の、水を用いて測定した接触角が１００°〜１２０°であることを特徴とするインクジェット記録用紙。
【請求項２】填料が珪酸塩系である、請求項１に記載されたインクジェット記録用紙。」
２．特許異議申立の概要
　特許異議申立人は、
〔理由１〕本件請求項１〜４に係る発明は、それぞれ、甲第１号証に記載された発明と同じであり特許法第２９条第１項第３項の規定に違反して特許されたものであり、
〔理由２〕本件請求項１〜４に係る発明は、それぞれ、甲第１〜５号証に記載された発明から容易に想到しえたものであり、特許法第２９条第２項の規定に違反して特許されたものであり、
〔理由３〕本件は、明細書の記載に不備があり特許法第３６条第４項の規定に違反して特許されたものであるから、特許を取り消すべきと主張している。
３．甲号各証等とそれらの内容
　異議申立人が証拠として提出した甲第１〜５号証とその内容は、以下のとおりである。また、当審で取消理由通知に追加した刊行物６とその内容も併せて示す。
甲第１号証：特開昭６１−１６８８５号公報
　甲第１号証には、
「記録媒体をオリフィスから噴射、飛翔させて、記録用紙への付着を以て記録を行うインクジェット記録に於いて、該記録用紙のステキヒトサイズ度が１０秒以上であり、かつベック平滑度が１００秒以上６００秒以下であることを特徴とするインクジェット記録用紙。」（特許請求の範囲）《記載事項ア》、
「発明の目的　ここに本発明者は、インク吸収能力を持ちながら、滲み率の小さい高解像度の得られる記録媒体を得るために、種々検討した結果、上記目的を達することに成功し本発明をなすに到った。」（第２頁右上欄第１３〜１７行）《記載事項イ》、
「…使用される記録液体としては、油性インクから水性インクまで各種のものがあるが、本発明に於いてはその内油性インク及び水性インクの中でも水溶性有機溶媒の含有量が記録液全重量に対して５〜９５重量％、好ましくは１０〜９５重量％、より好ましくは２０〜９５重量％である浸透性の強いインクが特に好ましいものである。」（第２頁左下欄第４〜１３行）《記載事項ウ》、
「表面サイズ剤は通常使用される酸化澱粉、ポリビニルアルコール、ＣＭＣ、その他の水溶性樹脂や必要に応じて重質炭酸カルシウム、軽質炭酸カルシウム、クレータルク、合成シリカ、酸化チタン等の顔料、その他の分散剤、調色剤、消泡剤等と共に使用することも出来る。」（第３頁右下欄第１４〜１９行）《記載事項エ》、と記載され、
実施例７として、
ＬＢＫＰ８０部、ＮＢＫＰ２０部、填料タルク３部、填料重炭酸カルシウム７部からなるパルプスラリーにアルキルケテンダイマー内填サイズ剤０．０７部等を加えて抄造した基紙の表面に、サイズプレス装置によってポリビニルアルコール樹脂と表面サイズ剤とからなるサイズプレス液を固形分で２．４ｇ／ｍ２付着させ、スーパーカレンダー処理して、ベック平滑度３７．８秒、ステキヒトサイズ度５１秒、水を用いて測定した接触角１０８°のインクジェット記録用紙を得て、インクジェット記録（「キャノン（株）製インクジェットプリンター（Ａ−１２１０）を用いて黒インクで印字」と記載されるが、インク組成・特性については記載なし）すると、インク吸収性、画像性は良好であったこと《記載事項オ》が示されている。
甲第２号証：紙パ技協誌、第４３巻、第１２号、１９８９年１２月１日、紙パルプ技術協会、第１〜１３頁、小島裕の技術報文「インクジェット記録用紙の最近の技術動向」、
　甲第２号証には、「１．インクジェット記録の概要」の項で、「ＩＪインクの組成と物性はおおよそ表２に示すようなものである。組成は一般に着色剤として水溶性の酸性染料や直接染料、溶媒として水やアルコール、ポリエチレングライコール等の湿潤剤などで構成される。」と記載され、表２で、インクジェットインクの表面張力が１０〜６０ダイン／ｃｍであることが示されている。《記載事項カ》
　また、「２．インクジェット記録用紙について」の項で、「製紙の立場からこれらの特性を満足させるようなインクジェット記録用紙を作り出すことを考えてみると、表３に掲げるような内容が検討されなければならない。」と記載され、表３で、記録特性の為に紙として検討する項目のうち、物理的特性に係るものとして、「空隙率、空隙量、表面粗さ、平滑度、空隙形状、透気度、紙の粗さ指数、吸収係数、接触角」が挙げられている。《記載事項キ》
甲第３号証：特開昭６１−８９０８２号公報
　甲第３号証には、
「（１）支持体に（ａ）顔料と水溶性高分子バインダー並びに（ｂ）シリコーンエマルジョン又は水溶性シリコーン化合物を、（ａ）（ｂ）を１液で同時に…塗布又は含浸してなるインクジェット記録用紙。
（２）顔料が合成シリカであり水溶性高分子バインダーがポリビニルアルコールであることを特徴とする特許請求の範囲第１項記載のインクジェット記録用紙。」（特許請求の範囲第１〜２項）《記載事項ク》、
「本発明の水溶性シリコーン化合物は常温で液体であり、殆ど皮膜を形成しない。又シリコーンエマルジョンもインクジェット記録用紙を製造する為の乾燥では殆ど皮膜を形成せず、しかも安定な、親水性の強い乳化剤と共存している。この為、これらと顔料及びバインダーを混合して支持体に塗布すると、これらは顔料周囲及び支持体繊維に吸着され、又繊維間に存在して顔料のインク吸収能、染料の定着能を、又繊維、繊維間のインク吸収速度、拡散性を変化させ、結果として適度の撥水性と水との混和しやすさとのバランスで、色ズレを減少させるものと推定される。」（第４頁右上欄第２〜１３行）《記載事項ケ》と記載され、
実施例１として、
ＬＢＫＰ８０部、ＮＢＫＰ２０部からなる原料パルプに填料炭酸カルシウム２０部を加えて抄造した無サイズ剤の基紙の表面に、合成シリカ８５部、ポリビニルアルコール結着剤１５部、シリコーン樹脂エマルジョン５部（純部）からなる塗工液を固形分で５．０ｇ／ｍ２塗工し、カレンダー処理して、ベック平滑度９０〜１４０秒のインクジェット記録用紙を得て、インクジェット記録すると、インク吸収性、画像解像度は良好で、色ズレも抑制されたこと《記載事項コ》、
実施例４として、
ＬＢＫＰ８０部、ＮＢＫＰ２０部からなる原料パルプに填料炭酸カルシウム２０部を加えて抄造した無サイズ剤の基紙の表面に、合成シリカ７０部、ポリビニルアルコール結着剤１５部、耐水化剤重合体１５部、シリコーン樹脂エマルジョン５部（純部）からなる塗工液を固形分で４．５ｇ／ｍ２塗工し、カレンダー処理して、ベック平滑度９０〜１４０秒のインクジェット記録用紙を得て、インクジェット記録すると、インク吸収性、画像解像度は良好で、色ズレも抑制されたこと《記載事項サ》が示されている。
甲第４号証：特開平２−１１３９８５号公報
　甲第４号証には、
「（１）ステキヒト・サイズ度が０乃至１５秒であり且つ惨み率（Ｎ）が…（数式）（転記を省略）…の範囲にある被記録材を用いることを特徴とするインクジェット記録方法。」（特許請求の範囲請求項１）《記載事項シ》、
「（発明が解決しようとしている問題点）　そこで本発明の目的は、上述の如き欠点を解決し、例え塗工層が薄くても速やかなインク吸収性を有し、とりわけドット形状に優れ且つ好適なインク滴の滲み率を有する被記録材を用いた高繊細で鮮明な画像を形成する記録方法を提供することにある。」（第３頁左上欄第１０〜１６行）《記載事項ス》、
「インク受容層としての表層は顔料とバインダーとを含む塗工液を基紙上に塗布して形成される。顔料としては、合成シリカ、…が挙げられる。この中でも本発明方法に好ましいものは合成シリカ、…である。…インク受容層の好ましい乾燥塗工量は、大略０．１乃至１０ｇ／ｍ２、より好ましくは、０．５乃至５ｇ／ｍ２である。」（第４頁右下欄第１行〜第５頁左下欄第６行）《記載事項セ》、
「本発明方法に於いて惨み率を小さくする方法は、前記のインク受容層中に疎水性の物質を含有する方法が最も効果的である。疎水性物質としては、シリコン系、フッソ系、ポリオレフィン系等の界面活性剤やポリ酢酸ビニル、ポリスチレン、ポリ塩化ビニルやポリエチレン、ポリプロピレン等のアルキド樹脂等が挙げられるが、特に好ましいものは、ＳＢＲラテックス、ＭＢＲラテックス、酢酸ビニルエマルジョン等の水分散型の疎水性高分子である。」（第６頁左上欄第１７行〜同頁右上欄第６行）《記載事項ソ》と記載されている。
甲第５号証：特開平７−９６６５４号公報
　甲第５号証には、
「【請求項１】基紙の少なくとも一方の表面に、顔料及び水系結着剤を含有し片面当たり固形分重量で１〜２５ｇ／ｍ２の塗工層、及び該層の上に設けられた撥水性物質層からなる記録層を設けてなるインクジェット記録用紙であって、前記塗工層中の顔料及び水系結着剤の比が重量比で４０／６０〜８０／２０の範囲であると共に、前記撥水性物質の塗布量が、固形分重量で０．０１〜１．０ｇ／ｍ２ であることを特徴とするインクジェット記録用紙。」（特許請求の範囲請求項１）《記載事項タ》、
「本発明で使用する撥水性物質は、公知のものの中から適宜選択して使用することができる。その具体例としては、例えば、パラフィンワックス、…シリコーン樹脂、ジルコニウム撥水剤、カチオン性サイズ剤等を挙げることができる。」（第１４段落）《記載事項チ》、
「本発明のインクジェット記録用紙の記録層は、顔料と水系結着剤とを所定の重量比で含有する所定量の塗工層と、その塗工層の表面に設けられた所定量の溌水性物質層からなるので、ドットのにじみや広がりを抑制して高い濃度で記録することができる。…」（第１６段落）《記載事項ツ》と記載されている。
刊行物６：特開平５−２５４２３９号公報
　刊行物６には、
「【請求項１】 基紙の少なくとも片面に塗工層を設けたインクジェット用記録紙において、該基紙は見掛け密度が０．６０〜０．７５ｇ／ｃｍ３で、かつ、ステキヒストサイズ度が２〜１８秒であり、該塗工層はＢＥＴ比表面積が１００〜４００ｍ２／ｇである白色顔料を含有する塗工剤を２〜１０ｇ／ｍ２の範囲で塗工したことを特徴とするインクジェット用記録紙。
【請求項２】 上記塗工剤中の白色顔料の含有量を５０〜８５重量％としたことを特徴とする請求項１記載のインクジェット用記録紙。
【請求項３】 請求項１又は２記載のインクジェット用記録紙に、２０℃における表面張力が４０ｄｙｎ／ｃｍ以下である水性インクで記録することを特徴とするインクジェット記録方法。」（特許請求の範囲）《記載事項テ》、
「本発明の記録方法は、上記の特定記録紙に従来の水性インクで記録するもので、カラー記録を行うときにも混色滲みの発生を抑えることができ、発色、鮮明性、解像性に優れた画像を得ることができる。特に、本発明の記録方法では、上記の特定記録紙に対し、２０℃における表面張力が４０ｄｙｎ／ｃｍ以下の水性インクで記録することにより、上記の記録方法より一層優れた高品位の画像を得ることができる。即ち、噴射されるインクが記録紙の塗工層を通過して基紙に吸引されるが、塗工層を通過する際にインクの染料が高比表面積を有する顔料に効果的に捕捉され、その後、低表面張力のインクは空隙量が多く、吸引力の大きな基紙に瞬時に吸引される。…また、基紙へのインクの吸収が速いため、塗工紙中でのインクの広がりを抑えることができ、解像度の高いシャープな画像を得ることができる。」（第２２段落）《記載事項ト》、
「…水性インクの溶媒は、脱イオンした水を主溶媒とすることが好ましい。また、記録ヘッドノズルでの乾燥防止を主目的として保湿剤を含有させることが好ましく、例えばエチレングリコール、ジエチレングリコール等の多価アルコール等を使用することができるが、これらに限定されるものではない。上記水性インクの表面張力は、溶媒中に表面張力調整剤を添加して、２０℃において４０ｄｙｎ／ｃｍ以下に調整する必要があるが、好ましくは２５〜４０ｄｙｎ／ｃｍ、さらに好ましくは３０〜４０ｄｙｎ／ｃｍに調整する。…インクの表面張力を調整するためには、種々の表面張力調整剤を使用することができる。例えば、高級アルコール硫酸エステル塩…等のアニオン界面活性剤類；アミン塩型、第４級アンモニウム塩型カチオン界面活性剤類；アミノ酸型、ベタイン型両性界面活性剤類；高級アルコールエチレンオキサイド付加物、・・・等の非イオン界面活性剤類；さらに、シリコーン系、フッ素系のイオン性及び非イオン性の界面活性剤類を挙げることができる。」（第２３〜２５段落）《記載事項ナ》と記載され、
実施例１として、
ＬＢＫＰ原料パルプに填料重炭酸カルシウム１５重量％、アルケニル無水コハク酸サイズ剤０．０４重量％、カチオン化澱粉０．８重量％を含有させ抄紙した基紙の表面に、合成シリカ７０部、ポリビニルアルコール結着剤２５部、耐水化剤重合体５部からなる塗工液を固形分で８ｇ／ｍ２塗工し、平滑化仕上げして、ベック平滑度２８秒のインクジェット記録用紙を得て、表面張力３６〜３８ダイン／ｃｍの各色インクを用いてインクジェット記録すると、インク吸収性、画像解像度は良好で、混色滲みも抑制されたこと《記載事項ニ》が示されている。
４．検討・判断
（１）特許法第３６条第４項違反について
先ず、明細書の記載不備に係る異議申立理由について検討する。
  異議申立人が、明細書の記載不備と指摘する事項は、
明細書（訂正前）の実施例欄では、「実施例２（シリコーン系撥水剤：４部配合、得られた記録用紙の表面の接触角：１１４度）」と「比較例１（シリコーン系撥水剤：１部配合、その他の製造諸条件は実施例２と同じ、得られた記録用紙の表面の接触角：１２５度）」とが併記され、シリコーン系撥水剤の配合量を１部に減らした「比較例１」の方が、接触角が大きく水を強くはじくという、他の実施例・比較例の開示内容とは矛盾した結果を示しているため、当業者が発明を実施できる程度に明確かつ十分な記載がなされていない、というものである。
  指摘された明細書記載の矛盾点については、前掲のとおり、シリコーン系撥水剤配合量で記載ミスのある「比較例１」を削除するという、明りょうでない記載の釈明に係る訂正がなされ、解消されている。
　結局、本件請求項１に係る発明が、特許法第３６条第４項の規定に違反して特許されたものであるとはいえない。
（２）特許法第２９条第１項第３号違反について
　本件請求項１に係る発明と、甲第１号証の実施例７に記載の発明とを対比すると、
後者の「タルク、アルキルケテンダイマー等を含む抄造基紙」、「サイズプレス装置による表面付着層」、「ポリビニルアルコール樹脂」、「（表面付着層の）表面サイズ剤」は、それぞれ、前者の「少なくとも填料および内添サイズ剤を含む基紙」、「記録層」、「水系結着剤」、「（記録層の）サイズ剤」に相当し、また、後者の「片面あたり固形分付着量：２．４ｇ／ｍ２」、「水を用いて測定した接触角：１０８°」は、それぞれ前者の規定範囲内であるから、
両者は、
「インク滴を付着させて記録を行うインクジェット記録用紙において、該記録用紙が、少なくとも填料および内添サイズ剤を含む基紙の少なくとも片方の面に、シリコーン系撥水剤及び／又はサイズ剤を含有し、水系結着剤を主成分とする記録層を、片面あたり固形分で２．４ｇ／ｍ２設けてなると共に、前記記録層の表面の、水を用いて測定した接触角が１０８°であることを特徴とするインクジェット記録用紙。」で一致するが、 
インクジェット記録用インクについて、前者が「表面張力が３０〜４５ダイン／ｃｍの水系インク」と規定するのに対して、後者がそのようなインク組成・特性を規定しない点〈相違点ａ〉、及び、
記録層の無機顔料配合について、前者が「合成シリカの含有量が３０〜７０重量％」と規定するのに対して、後者が合成シリカを含む無機顔料を全く含有しない点〈相違点ｂ〉で明確に相違する。（前掲《記載事項ア〜オ》参照）
　したがって、本件請求項１に係る発明は、甲第１号証に記載された発明であるとはいえず、特許法第２９条第１項第３号の規定に違反して特許されたものとはいえない。
　また、本件請求項２に係る発明は、請求項１に係る発明のすべての構成を引用し、さらに「填料が珪酸塩系である」との構成を付加したものであるから、甲第１号証の発明に対して、請求項１に係る発明と同様の相違点を有している。
　したがって、本件請求項２に係る発明も、甲第１号証に記載された発明であるとはいえず、特許法第２９条第１項第３号の規定に違反して特許されたものとはいえない。
（３）特許法第２９条第２項違反について
  本件請求項１に係る発明と、甲第１号証に記載の発明とを対比しての一致点、相違点は、上記４．（２）に示したとおりである。
　相違点について検討する。
　〈相違点ａ〉に関して、異議申立人は、甲第１号証には、「浸透性の強いインクが特に好ましいものである」と記載されているから（前掲《記載事項ウ》参照）、「表面張力４０ダイン／ｃｍ以下の水性インクは基紙に速く吸収される」旨の刊行物６の記載（前掲《記載事項ト、ナ》参照）を参酌して、「表面張力が３０〜４５ダイン／ｃｍの水性インク滴を付着させて記録を行う」との数値条件を設けることは、当業者が容易になし得ることであると主張する。
　そこで、甲第１号証の記載内容を詳細に検討するに、甲第１号証で好適とされる「浸透性の強いインク」とは、甲第１号証で適用可能な「油性インクから水性インクまで各種」インクの内から、「水に水溶性有機溶媒を加えて浸透性を強くしたインク」を示していることが明らかである。また、甲第１号証では、インクの「表面張力」について何ら着目し検討するところがない。（前掲《記載事項ウ》参照）
　一方、刊行物６の記載内容を詳細に検討するに、刊行物６でいう「基紙に速く吸収される表面張力４０ダイン／ｃｍ以下の水性インク」とは、刊行物６で従来技術とされる「水性インク」（脱イオン水と、保湿剤として機能するエチレングリコール等の水溶性有機溶媒とを溶媒とするインク）に対して、さらに「界面活性剤」等の「表面張力調整剤を添加して」表面張力を調整した組成のインクを指し示していることが明らかである。（前掲《記載事項ナ》参照）
  してみると、甲第１号証の「浸透性の強いインク」と、刊行物６の「基紙に速く吸収される水性インク」とは、インクの成分組成等の構成や諸特性が相違していることが明らかであり、一つの機能表現の近似を拠り所にして両者を結びつけるには無理がある。
　また、甲号各証をみると、甲第２号証に、一般的にインクジェットインクの表面張力が１０〜６０ダイン／ｃｍ程度である旨の従来技術概要が示される（前掲《記載事項カ》参照）のみであり、「表面張力が３０〜４５ダイン／ｃｍの水性インク」なる数値限定の契機となるものは何ら記載も示唆もない。
　結局、「表面張力が３０〜４５ダイン／ｃｍの水性インク」と数値規定することが、甲号各証ないし公知刊行物記載のものから容易になし得ることとはいえない。
　〈相違点ｂ〉に関連して、甲３、４号証には、インクジェット記録用紙の記録層への配合に好適な無機顔料の一つとして、「合成シリカ」が例示されており（前掲《記載事項ク、コ、セ》参照）、また、甲第３号証の実施例４には、「合成シリカの含有量が７０重量部である記録層」が示されている。（前掲《記載事項サ》参照）
そして、異議申立人は、これら相違点に係る構成が、常識的な構成にすぎない旨主張する。
  しかし、甲第１号証の実施例７に記載の発明のインクジェット記録用紙（記録層に合成シリカ等の無機顔料を一切含有せず、接触角：１０８°）について、〈相違点ｂ〉に係る構成を導入し、記録層の合成シリカの含有量が３０〜７０重量％とした場合、記録層組成や記録層表面特性は激変し、記録層表面の接触角：１０８°の撥水性や、滲み抑制等のインク適性も大きく変動してしまうから、相違点摘出時の前提たる一致点も見直しが必須となる。即ち、甲第１号証のものに、相違点に係る構成を単純に組み合わせても、本件請求項１記載の発明に到達することは出来ない。
　他の甲号各証や公知刊行物をみると、刊行物６の実施例１には、「合成シリカ含有量７０重量％の記録層」が示されている。（前掲《記載事項ニ》参照）
　しかし、その記録層は、塗工量が固形分で８ｇ／ｃｍ２（甲１号証の実施例７の３．３倍）（本件請求項１の上限規定の２倍）と多く、シリコーン系撥水剤及び／又はサイズ剤を一切含有せず、表面の接触角も不明で、主要な構成が甲第１号証のものと大きく相違するから、甲第１号証のものに結びつけるにはやはり無理がある。
　結局、「合成シリカの含有量が３０〜７０重量％」の構成が、甲号各証ないし公知刊行物記載のものから容易になし得ることとはいえない。
　そして、本件請求項１に係る発明は、上記相違点に係る構成により、「手で触った感触が普通紙と同様の風合い」でありながら「インクの速乾性及び高い画像濃度を維持しながらインクドットの拡がりや髭状の滲みを抑えることができる、高い記録品位を有する」（【発明が解決しようとする課題】欄及び【実施例】欄参照）等の明細書記載の顕著な効果を奏するものである。
　したがって、本件請求項１に係る発明は、甲号各証及び公知刊行物の記載に基づいて、当業者が容易に発明し得たものとはいえず、特許法第２９条第２項の規定に違反して特許されたものとはいえない。
　また、本件請求項２に係る発明は、請求項１に係る発明のすべての構成を引用し、さらに「填料が珪酸塩系である」との構成を付加したものであるから、甲第１号証の発明に対して、請求項１に係る発明と同様の相違点を有しており、同様の検討内容から、やはり、甲号各証及び公知刊行物の記載に基づいて、当業者が容易に発明し得たものとはいえず、特許法第２９条第２項の規定に違反して特許されたものとはいえない。
５．むすび
　以上のとおりであり、特許異議申立の理由及び証拠によっては、本件発明の特許を取り消すことはできない。
 また、他に本件発明の特許を取り消すべき理由を発見しない。
　よって、結論のとおり決定する。
【異議決定日】
平成１４年７月２日（２００２．７．２）
【訂正の要旨】
訂正の要旨
　特許第３０６４２０８号発明の特許明細書を　下記のとおり訂正する。
ａ．特許請求の範囲の減縮を目的として、特許請求の範囲「【請求項１】表面張力が３０〜４５ダイン／ｃｍの水系インク滴を付着させて記録を行うインクジェット記録用紙において、該記録用紙が、少なくとも填料および内添サイズ剤を含む基紙の少なくとも片方の面に、合成シリカ及び水系結着剤を主成分とする記録層を、片面あたり固形分で０．５〜４．０ｇ／ｍ２設けてなると共に、前記記録層の表面の、水を用いて測定した接触角が１００°〜１２０°であることを特徴とするインクジェット記録用紙。」を
「【請求項１】表面張力が３０〜４５ダイン／ｃｍの水系インク滴を付着させて記録を行うインクジェット記録用紙において、該記録用紙が、少なくとも填料および内添サイズ剤を含む基紙の少なくとも片方の面に、シリコーン系撥水剤及び／又はサイズ剤を含有し合成シリカ及び水系結着剤を主成分とする記録層であって、前記合成シリカの含有量が３０〜７０重量％である記録層を、片面あたり固形分で０．５〜４．０ｇ／ｍ２設けてなると共に、前記記録層の表面の、水を用いて測定した接触角が１００°〜１２０°であることを特徴とするインクジェット記録用紙。」と訂正し、【請求項２】、【請求項３】を削除すると共に、
　【請求項４】「填料が珪酸塩系である、請求項１〜３の何れかに記載されたインクジェット記録用紙。」を繰り上げて、
　【請求項２】「填料が珪酸塩系である、請求項１に記載されたインクジェット記録用紙。」と訂正する。
ｂ．明瞭でない記載の釈明を目的として、明細書の第１１段落「…合成シリカ及び水系結着剤を主成分とする記録層を、…」を「…シリコーン系撥水剤及び／又はサイズ剤を含有し合成シリカ及び水系結着剤を主成分とする記録層であって、前記合成シリカの含有量が３０〜７０重量％である記録層を、…」と訂正する。
ｃ．明瞭でない記載の釈明を目的として、明細書の第１６段落「…このような合成シリカの使用量は、記録層中の３０〜７０重量％となる量であることが好ましい。」を「…このような合成シリカの使用量は、記録層中の３０〜７０重量％となる量である。」と訂正する。
ｄ．明瞭でない記載の釈明を目的として、明細書の第４２段落の「比較例１」全体を削除すると共に、
第４３段落の「比較例２」を「比較例１」と訂正、第４４段落の「比較例３」を「比較例２」と訂正、第４５段落の「比較例４」を「比較例３」と訂正、第４６段落の「比較例５」を「比較例４」と訂正、第４７段落の「比較例６」を「比較例５」と訂正する。
ｅ．明瞭でない記載の釈明を目的として、明細書の第４８段落で、実施例１〜４、比較例１〜６の試験及び評価の結果を示す【表１】において、比較例１の試験及び評価結果の記載欄すべて（横一列）を削除すると共に、該表左端の実験名記載欄の「比較例２」を「比較例１」と訂正、「比較例３」を「比較例２」と訂正、「比較例４」を「比較例３」と訂正、「比較例５」を「比較例４」と訂正、「比較例６」を「比較例５」と訂正する。
（５４）【発明の名称】
インクジェット記録用紙
（５７）【特許請求の範囲】
　【請求項１】表面張力が３０〜４５ダイン／ｃｍの水系インク滴を付着させて記録を行うインクジェット記録用紙において、該記録用紙が、少なくとも填料および内添サイズ剤を含む基紙の少なくとも片方の面に、
シリコーン系撥水剤及び／又はサイズ剤を含有し
であって、前記合成シリカの含有量が３０〜７０重量％である記録層
　【請求項２】　
填料が珪酸塩系である、請求項１に記載されたインクジェット記録用紙
【発明の詳細な説明】
　【０００１】
　【産業上の利用分野】
　本発明はインクジェット記録用紙に関し、特に、表面張力が３０〜４５ダイン／ｃｍの水系インクを用いて記録した場合の記録品位に優れる、普通紙タイプのインクジェット記録用紙に関する。
　【０００２】
　【従来の技術】
　インクジェット記録方式は、種々の機構によりインクの小滴を吐出させ、記録用紙に付着させることによりインクドットを形成し記録を行うものである。従って、ドットインパクトタイプの記録方式に比べて騒音が無く、フルカラー化が容易であり、高速印字が可能である等の利点がある。
　このようなインクジェット記録方式に用いられる記録用紙に要求される特性としては、一般に、▲１▼インクの乾燥速度が速い、▲２▼記録濃度が高い、▲３▼ドットの広がり（滲み）が少ない、・ドットの形状が真円に近い等が挙げられる。
　【０００３】
　ところで、近年、高精度のフルカラーインクジェットプリンターが開発されたことに伴い、インクの表面張力を低くしてインクの浸透を速めることにより速乾性の確保を図る等、プリンターの高精度化に対応することが行われている。従って、このような低表面張力のインクに対応することのできる記録用紙が求められ、特に、従来のコート紙に近い記録特性を有する普通紙タイプの記録用紙が求められている。
　【０００４】
　しかしながら、従来の高級用途のコート紙タイプのインクジェット記録用紙や現在汎用されている普通紙タイプのインクジェット記録用紙に対して、上記した低表面張力のインクを用いてインクジェット記録をした場合には、殆どのものは、インクの滲みが大きくなり過ぎたり、或いは記録濃度が低くて記録品位が不充分である等の欠点があった。
　【０００５】
　そこで、上記の欠点を解決するために、ジャパンタッピ（Ｊ．ＴＡＰＰＩ）試験法Ｎｏ．５１による吸水量、及びＪＩＳ　Ｋ　３２１１に記載されている水に対する接触角を特定の範囲とする塗工紙タイプの記録用紙（特開平５−９６８４４号公報）や、表面張力が４０ダイン／ｃｍ以下のインクで記録するインクジェット記録用紙（特開平５−２５４２３９公報）等が提案されている。
　【０００６】
　しかしながら、上記の記録用紙のいずれも、表面張力が３０〜４５ダイン／ｃｍの水系インク滴を付着させてインクジェット記録をした場合には、インクが記録層へ極短時間に浸透すると同時に記録層表面でも拡散するので、インクドットが拡がり過ぎ、記録品位が悪くなる上、表面の手ざわり等が普通紙の場合と異なるという欠点もあった。
　【０００７】
　一方、パルプ繊維内部に、水不溶性又は難溶性の無機物を担持させたパルプを用いた普通紙をインクジェット記録用紙として使用することも提案されているが（特開平６−１８３１３６号公報）、この記録用紙は、インクドットが記録表面で大きくなり過ぎたり、髭状に滲んだりするのみならず、インクの紙への浸透が深くなり過ぎるので記録濃度が低くなり、それによっても記録品位が低下するという欠点があった。
　【０００８】
　そこで、上記の欠点を解決するために、記録用紙のステキヒトサイズ度を高くすると、逆にインクの浸透が抑えられ過ぎ、インクがいつまでも記録表面に残って汚れの原因となったり、また、インク中の染料成分の一部が選択的に紙に浸透してインクの発色性が変化したり、ベタ記録部において部分的にインクのはじきが生じる等の欠点が生じた。
　このように、表面張力が３０〜４５ダイン／ｃｍの水系インク滴を付着させて満足することのできる記録品位の画像を得ることができる、普通紙タイプのインクジェット記録用紙は未だ知られていない。
　【０００９】
　【発明が解決しようとする課題】
　そこで、本発明者等は、普通紙タイプのインクジェット記録用紙について鋭意検討した結果、填料および内添サイズ剤を含む基紙の少なくとも片方の面に、合成シリカ及び水系結着剤を主成分とする特定の記録層を設け、該記録層の表面を、水を用いて測定した接触角が１００°〜１２０°となるようにした場合には、表面張力が３０〜４５ダイン／ｃｍの水系インクを用いインクジェット記録した場合でも、記録濃度が高い上、記録品位が良好となることを見いだし本発明に到達した。
　【００１０】
　従って、本発明の目的は、表面張力が３０〜４５ダイン／ｃｍの水系インクを用いてインクジェット記録した場合に、インクの速乾性及び高い画像濃度を維持しながらインクドットの拡がりや髭状の滲みを抑えることができる、高い記録品位を有する普通紙タイプのインクジェット記録用紙を提供することにある。
　【００１１】
　【課題を解決する為の手段】
　本発明の上記の目的は、表面張力が３０〜４５ダイン／ｃｍの水系インク滴を付着させて記録を行うインクジェット記録用紙において、該記録用紙が、少なくとも填料および内添サイズ剤を含む基紙の少なくとも片方の面に、
シリコーン系撥水剤及び／又はサイズ剤を含有し
あって、前記合成シリカの含有量が３０〜７０重量％である記録層
　【００１２】
　本発明で使用する水系インクは特に限定されるものではなく、インクジェット記録用に使用される公知のインクの中から、表面張力が３０〜４５ダイン／ｃｍのものを適宜選択して使用することができる。
　尚、インクの表面張力は、自動界面張力計によって容易に求めることができる。
　【００１３】
　本発明で使用する基紙に内添する填料は、特に限定されるものではなく、公知の填料の中から適宜選択して使用することができる。このような填料としては、例えばタルク、カオリン、イライト、クレー、炭酸カルシウム、二酸化チタン等を挙げることができるが、本発明においては、特に、タルク、カオリン、イライト、クレー等の珪酸塩系の填料を使用することが好ましい。
　【００１４】
　このような填料の使用量は通常、紙中填料率で３〜２０重量％である。炭酸カルシウム、二酸化チタン等を用いた場合にはその光学的特性からしばしば記録濃度の低下を生じ易いので、紙中填料率はプリントスルーが生じない範囲内で使用量をできるだけ少なくするか、又は他の填料と併用することが好ましい。本発明においては、特に、カオリンを単独で使用するか、又は、イライトと併用することが好ましい。
　【００１５】
　本発明で基紙に使用する内添サイズ剤は特に限定されるものではなくインクジェット記録用紙に使用される公知の内添サイズ剤の中から適宜選択して使用することが出来る。
　好ましい内添サイズ剤としては、例えば、疎水化変性ロジンエマルジョン系サイズ剤等を挙げることが出来る。内添サイズ剤の使用量は、通常、絶乾パルプ１００重量部に対して０．１〜０．７重量部の範囲である。
　【００１６】
　本発明における記録層に使用する合成シリカは、顔料として使用することができるものであれば、特に限定されものではない。
　このような合成シリカとしては、例えば、化学便覧応用化学編（昭和６１年１０月１５日、丸善株式会社発行、日本化学会編）２５７頁に記載のホワイトカーボン、無水シリカ等を挙げることができる。このような合成シリカの使用量は、記録層中の３０〜７０重量％となる量である。
　【００１７】
　本発明における記録層に使用する水系結着剤は、顔料や基紙に対する接着力が強く、用紙間でブロッキングを起こさない水性樹脂、エマルジョン等であることが好ましい。
　このような水系結着剤の使用量は合成シリカ１００重量部に対して１０〜５０重量部とすることが好ましい。
　【００１８】
　上記水系結着剤の具体例としては、例えば、ポリビニルアルコール、酸化デンプン、エステル化デンプン、酵素変性デンプン、カチオン化デンプン等のデンプン類、カゼイン、大豆タンパク質類、カルボキシメチルセルロース、ヒドロキシエチルセルロース等の繊維素誘導体、スチレン−アクリル樹脂、イソブチレン−無水マレイン酸樹脂、アクリルエマルジョン、酢ビエマルジョン、塩化ビニリデンエマルジョン、ポリエステルエマルジョン、スチレン−ブタジエンラテックス、アクリルニトリルブタジエンラテックス等を挙げることが出来る。これらは単独で使用しても、併用してもよい。
　【００１９】
　本発明においては、少量の添加量で効果的に、水を用いて測定した接触角を調整するために、特に、シリコーン系撥水剤を使用することが好ましい。このシリコーン系撥水剤を、サイズ剤と併用することにより、記録層表面の接触角をより容易に調整することができる。このようなシリコーン系撥水剤の具体例としては、例えば、ジメチルシリコーン、アミノ変性シリコーン、エポキシ変性シリコーン、カルボキシル変性シリコーン、ポリエーテル変性シリコーン等を挙げることができる。
　【００２０】
　本発明における記録層には、記録層の表面における水の接触角を調整する観点から、サイズ剤を含有させることが好ましい。
　このようなサイズ剤としては、高級脂肪酸系、スチレン・アクリル系、スチレン・マレイン酸系、ポリアクリルアミド系、石油系サイズ剤、シリコーン系サイズ剤等を挙げることができる。
　このような撥水剤やサイズ剤の使用量は、記録層の表面が所望の接触角となるように適宜決定することができる。
　【００２１】
　本発明における記録層には、記録画像に耐水性を付与する観点から、カチオン性の水溶性高分子を含有させることもできる。
　上記のカチオン性の水溶性高分子としては、例えば、ポリエチレンイミン第４級アンモニウム塩誘導体、ポリアミドエピクロルヒドリン樹脂、カチオン性ポリビニルアルコール、カチオン性澱粉等を挙げることができる。これらは単独で使用しても併用しても良い。
　このようなカチオン性の水溶性高分子の使用量は、本発明の効果を損なわない範囲内で適宜決定することができる。
　【００２２】
　本発明における記録層の表面は、表面張力が３０〜４５ダイン／ｃｍの水系インク滴を用いてインクジェット記録を行う場合の、インクの乾燥性及び記録品位を良好とする観点から、水を用いて測定した接触角を１００°〜１２０°とする必要があるが、特に、インクの乾燥性の観点からは、上記接触角が１００°〜１１５°であることが好ましい。
　【００２３】
　接触角が１２０°を越えるとインクの記録層への浸透が遅くなり記録画像を汚す等の原因となる一方、接触角が１００°未満であると記録層表面でインクの拡がりが大きくなり過ぎ、髭状に滲むので、記録品位が低下する。
　尚、水を用いて測定した接触角は、２０℃の蒸留水を記録層表面に滴下して５秒経過した時の、ＪＩＳ　Ｋ　３２１１に従って測定された接触角である。このような接触角は自動接触角計を用いて測定することができる。
　【００２４】
　このような記録層を設けるための塗工液は、前記成分を水に混合分散させることにより調製することができる。
　上記塗工液には、必要に応じて消泡剤、ｐＨ調整剤、色相を調整する為の染料や有色顔料、視感的白さを向上させる為の蛍光染料等を添加することもできる。
　【００２５】
　本発明における記録層は、記録特性を良好とすると共に普通紙と同等の手ざわりを得る観点から、片面あたり固形分で０．５〜４．０ｇ／ｍ２とする。記録層が片面あたり固形分で０．５ｇ／ｍ２未満では、インクジェット記録した際にインクが髭状に滲んだり、色の境界部でインクが混じり合ういわゆるブリーディングが大きくなったり、記録濃度が低下する。
　一方４．０ｇ／ｍ２を越えると合成シリカ等の顔料等の脱落が多くなるので、インクジェット記録した際のプリンターのインク吐出ノズルの目づまりが生じる等の原因となるのみならず、手で触った時の感触が粉っぽくなるので、普通紙と同等の感触が得られない。
　【００２６】
　記録層は、サイズプレス、各種ブレード塗工、ロール塗工、エアーナイフ塗工、バー塗工等の公知の塗工方法を用いて、必要に応じて基紙の片面または両面に設けることができるが、操業性や製造コストの観点から、オンマシンで両面同時に塗工することができるサイズプレス塗工方法を用いることが好ましい。
　【００２７】
　【発明の効果】
　以上詳述したように、本発明のインクジェット記録用紙は、記録層表面の水に対する接触角が１００°〜１２０°である上、記録層の塗工量が片面あたり固形分で０．５〜４．０ｇ／ｍ２であるので、表面張力が３０〜４５ダイン／ｃｍの水系インク滴でインクジェット記録を行う場合には、インクの速乾性を維持しながらインクドットの拡がりや髭状の滲みを抑えことができる。従って、普通紙タイプの記録用紙でありながら、高記録濃度である上、記録品位が良好である。また、フルカラーのインクジェット記録用紙としても好適である。
　【００２８】
　【実施例】
　以下、実施例によって本発明を更に詳細に説明するが、本発明はこれによって限定されるものではない。尚、実施例中の「％」は「重量％」、「部」は全て「重量部」を各示す。
　実施例中の試験及び評価は以下のようにして行った。
　【００２９】
（１）水を用いて測定した接触角
　ＪＩＳ　Ｋ　３２１１に準拠した自動接触角計（ＣＤ−Ｚ型：協和界面化学株式会社製の商品名）を用い、２０℃の蒸留水を記録層表面に滴下し、５秒経過した時の水の接触角を、水を用いて測定した接触角とした。
　【００３０】
（２）記録品質の評価
　記録品質はバブルジェットプリンター（ＢＪＣ−４００Ｊ：キヤノン株式会社製の商品名）を用いて所定のパターンを記録し、下記のようにして画像部の記録濃度を測定し、下記の基準に従って記録品質の評価をした。
　尚、上記プリンターに使用したインクの、２０℃における、自動界面張力計（ＰＤ−Ｚ型：協和界面科学株式会社製の商品名）を用いて測定した表面張力はブラックが４３ダイン／ｃｍ、シアンが３３．８ダイン／ｃｍであった。
　【００３１】
ａ）記録濃度の測定
　ベタ記録部の濃度をマクベス濃度計ＲＤ５１４（Ｍａｃｂｅｔｈ　ＲＤ５１４）で測定した。
ｂ）インクドットの拡がり
　文字の潰れを以下の基準で目視により評価した。
　　○　文字が鮮明に読める
　　△　文字が若干太り読みにくい
　　×　文字が太り読みにくい
　【００３２】
ｃ）インクの髭状の滲み
　ひげ状のインクの滲みを以下の基準で目視により評価した。
　　○　ひげ状の滲み無し
　　△　若干ひげ状の滲みがあり
　　×　ひげ状の滲みが多い
　【００３３】
ｄ）インク乾燥性
　記録直後に画像部を指で擦り、その汚れの程度を以下の基準で目視により評価した。
　　○　汚れ無し
　　△　若干汚れあり
　　×　著しく汚れあり
　【００３４】
ｅ）インク耐水性
　記録したものを１５分間水に浸漬した後、自然乾燥し、画像の変化を目視で評価した。
　　○　画像に変化が見られない
　　△　画像に部分的に滲みが見られる
　　×　画像のインクの大部分が流れ出している
　【００３５】
（３）風合い（普通紙感）
　手で触った時の感触を以下の基準で官能により評価した。
　　○　感触が普通紙と同様
　　×　感触がコート紙に近いか、又は粉っぽい
　【００３６】
実施例１．
　叩解度４５０ｍｌの広葉樹晒クラフトパルプ（Ｌ−ＢＫＰ）からなるパルプスラリー中の絶乾パルプ１００部に対し、カオリン７部、硫酸アルミニウム１．０部、カチオン化デンプン１部、サイズ剤０．１部及び歩留向上剤０．０２部を添加した紙料をツインワイヤー抄紙機で抄紙すると同時に、サイズプレスで下記の塗液１を片面当りの塗工量が固形分で０．７ｇ／ｍ２となるように両面に塗工して、坪量が８２ｇ／ｍ２のインクジェット記録用紙を得た。
　【００３７】
塗液１
　合成シリカ：１００部
　ファインシール（徳山曹達株式会社製の商品名）比表面積　２７０ｍ２／ｇ
　水性結着剤：２５部
　クラレ１０５（クラレ株式会社社製の商品名）
　カチオン性水溶性高分子：３０部
　ＰＣＬ−１（日本染化工業株式会社製の商品名））
　シリコーン系撥水剤：２部
　Ｐｏｌｏｎ　ＭＷＳ（信越化学工業株式会社製の商品名）
　消泡剤：０．０５部
　フォーマスターＡＰ（サンノプコ社製の商品名）
　【００３８】
実施例２．
　実施例１で使用したカオリン７部を１４部に変え、塗液１で使用したシリコーン系撥水剤２部を４部に変え、塗工量を片面あたりの固形分で２．０ｇ／ｍ２に変えた他は、実施例１の場合と全く同様にしてインクジェット記録用紙を得た。
　【００３９】
実施例３．
　実施例１で使用したカオリン７部をイライト１４部に変え、塗液１を下記の塗液２に代え、その塗工量を片面あたりの固形分で３．８ｇ／ｍ２に変えた他は、実施例１の場合と全く同様にしてインクジェット記録用紙を得た。
　【００４０】
塗液２
　合成シリカ：１００部
　アエロジル（日本アエロジル株式会社製の商品名）比表面積　２００ｍ２／ｇ
　水性結着剤（クラレ１０５）：２０部
　カチオン性水溶性高分子（ＰＣＬ−１）：２５部
　シリコーン系撥水剤：４部
　ＴＳＷ８３１（東芝シリコーン株式会社製の商品名）
　サイズ剤：９部
　ＮＣサイズＣ−４０（日華化学株式会社製の商品名）
　消泡剤（フォーマスターＡＰ）：０．０５部
　【００４１】
実施例４．
　塗液２で使用したシリコーン系撥水剤を使用せず、サイズ剤を１９部に変え、塗工量を片面あたりの固形分で２．０ｇ／ｍ２に変えた他は、実施例３の場合と全く同様にしてインクジェット記録用紙を得た。
　【００４２】
　【００４３】
比較例
１．
　実施例２の塗液１で使用したシリコーン系撥水剤に代えてサイズ剤（バソプラスト２５０Ｄ（バスフ株式会社製の商品名）５部を使用した他は、実施例２の場合と全く同様にしてインクジェット記録用紙を得た。
　【００４４】
比較例
２．
　実施例２の塗液１で使用したシリコーン系撥水剤を使用しなかった他は、実施例２の場合と全く同様にしてインクジェット記録用紙を得た。
　【００４５】
比較例
３．
　片面あたりの塗工量を固形分で４．５ｇ／ｍ２に変えた他は、実施例３の場合と全く同様にしてインクジェット記録用紙を得た。
　【００４６】
比較例
４．
　片面あたりの塗工量を固形分で０．３ｇ／ｍ２に変えた他は、実施例３の場合と全く同様にしてインクジェット記録用紙を得た。
　【００４７】
比較例
５．
　塗液を塗工しなかった他は実施例３の場合と全く同様にしてインクジェット記録用紙を得た。
　実施例および比較例で得られたインクジェット記録用紙の試験及び評価結果は表１にまとめた通りである。
　以上の結果は、本発明の有効性を実証するものである。
　【００４８】
　【表１】